(57)【要約】【課題】色の取り扱いを容易にし、色彩処理のどの過程でも自由に色の最適な処理や調整を可能とする。【解決手段】本発明に係る色彩表示システム１０は、色の立方体モデル１１の中心を三次元座標系の基点に設定する基点設定手段１２と、基点設定手段１２により設定された基点において直交する前記三次元直交座標系の３つの軸に沿って色を数値化して該各軸の座標値を設定する色座標値設定手段１３とを備えていることを特徴とする。【選択図】図１
2009069249.tif 000002
【特許請求の範囲】
【請求項１】
色の立方体モデルの中心を三次元座標系の基点に設定する基点設定手段と、
該基点設定手段により設定された基点において直交する前記三次元直交座標系の３つの軸に沿って色を数値化して該各軸の座標値を設定する色座標値設定手段と、
を備えていることを特徴とする色彩表示システム。
【請求項２】
前記色座標値設定手段により設定された各軸の座標値毎に数値を加算し、平均することにより混合した色の座標値を算出する混色座標値算出手段と、
前記各軸の座標値に対応付けて混色のデータを格納する混色データ格納手段と、
前記混色座標値算出手段により算出された混色の座標値に一致する混色のデータを前記混色データ格納手段から検索する混色データ検索手段と、
を備えている請求項１に記載の色彩表示システム。
【請求項３】
色の立方体モデルの中心を三次元座標系の基点に設定する基点設定ステップと、
該基点設定ステップにおいて設定された基点において直交する前記三次元直交座標系の３つの軸に沿って色を数値化して該各軸の座標値を設定する色座標値設定ステップと、
をコンピュータに実行させるための色彩表示プログラム。
【請求項４】
前記色座標値設定ステップにおいて設定された各軸の座標値毎に加算し、平均することにより混合した色の座標値を算出する混色座標値算出ステップと、
該混色座標値算出ステップにおいて算出された混色の座標値に一致する混色のデータを前記各軸の座標値に対応付けて混色のデータを格納する混色データ格納手段から検索する混色データ検索ステップと、
をコンピュータに実行させるための請求項３に記載の色彩表示プログラム。
【発明の詳細な説明】
【技術分野】
【０００１】
本発明は、色の立方体モデルを使用して色彩を表示する色彩表示システム及び色彩表示プログラムに関するものである。
【背景技術】
【０００２】
一般に、色彩を表示する場合、Ｒ（赤色）、Ｇ（緑色）、Ｂ（青色）の光の三原色を三次元直交座標系に表した色の立方体モデルが使用されている。
【０００３】
この従来の色の立方体モデル１は、図３に示されているように、基点Ｏにおいて互いに直交するＸ，Ｙ，Ｚ軸にそれぞれＧ，Ｂ，Ｒの原色を割り当て、各軸に沿って光量値をそれぞれ目盛って形成されている。そして、この立方体モデル１では、基点Ｏが黒色で、他の７つの頂点はそれぞれ赤色、緑色、青色、黄色、シアン、マゼンダ、白色を示し、６つの面はそれぞれ四隅の色が沁み出して混合したような色模様になっている（公知・公用の従来技術に基づき発明したため、出願人は本発明に関連する先行技術文献を知らない）。
【発明の開示】
【発明が解決しようとする課題】
【０００４】
しかしながら、上記した従来の色の立方体モデル１を使用して色彩を表示する方法では、以下のような問題があった。すなわち、
（１）従来の画像処理は、入力として受け入れた画像を出力機器に適合するように調整するものであり、途中で画像データの内容を変更しないことが原則となっているため、出力内容を変更又は調整したい場合には、新規に別の画像として入力操作をやり直す必要があった。
（２）画像形成装置は、指示されたデータをできる限り忠実に再現するための装置であるため、ユーザ側が色調整をする余地はなく、色の再現性はメーカ側に任せるしかなかった。
（３）全色の操作が可能な方法として一部の色彩プログラムは、ＲＧＢ色データの操作を採用しているが、色彩調整の規則が不明なため、「どれ一つを動かしても、色相・彩度・明度の全てが変わる」といった注意書きを付けて、この色操作を実質的に禁止しており、色操作ができなかった。
（４）光源の光の種類や紙質の違い等により色バランスに狂いが生じるため、その都度、ＲＧＢの微調整を行う必要があった。
（５）大幅な色調整は、色が転ぶ等の予想外の色変化を招き、回復不能の事態を発生させるおそれがあった。
（６）近年のデジタル化に伴って色の変更が容易にできるようになったが、正しい色の調整法がないまま、誤った色の操作（データ値の改変）が行われており、また、一般の色操作プログラムは調整範囲が限られており、数値が不正確であった。
（７）明度の基点が黒色であるため、明度調整により色相が変化し、画像の明度を上げた場合には、立方体モデルを外れた架空のデータ（白飛び）が発生するおそれがあった。
【０００５】
そこで、本発明は、上記した課題を解決することのできる色彩表示システム及び色彩表示プログラムを提供することを目的とするものである。
【課題を解決するための手段】
【０００６】
上記した目的を達成するため、本発明に係る色彩表示システムは、色の立方体モデルの中心を三次元座標系の基点に設定する基点設定手段と、該基点設定手段により設定された基点において直交する前記三次元直交座標系の３つの軸に沿って色を数値化して該各軸の座標値を設定する色座標値設定手段と、を備えていることを特徴とする。
【０００７】
そして、前記色座標値設定手段により設定された各軸の座標値毎に数値を加算し、平均することにより混合した色の座標値を算出する混色座標値算出手段と、前記各軸の座標値に対応付けて混色のデータを格納する混色データ格納手段と、前記混色座標値算出手段により算出された混色の座標値に一致する混色のデータを前記混色データ格納手段から検索する混色データ検索手段と、を備えていてもよい。
【０００８】
また、本発明に係る色彩表示プログラムは、色の立方体モデルの中心を三次元座標系の基点に設定する基点設定ステップと、該基点設定ステップにおいて設定された基点において直交する前記三次元直交座標系の３つの軸に沿って色を数値化して該各軸の座標値を設定する色座標値設定ステップと、をコンピュータに実行させることを特徴とする。
【０００９】
そして、前記色座標値設定ステップにおいて設定された各軸の座標値毎に加算し、平均することにより混合した色の座標値を算出する混色座標値算出ステップと、該混色座標値算出ステップにおいて算出された混色の座標値に一致する混色のデータを前記各軸の座標値に対応付けて混色のデータを格納する混色データ格納手段から検索する混色データ検索ステップと、をコンピュータに実行させるようにしてもよい。
【発明の効果】
【００１０】
本発明によれば、色の取り扱いが容易になるため、色彩処理のどの過程でも自由に色の最適な処理や調整を行うことができる。
【発明を実施するための最良の形態】
【００１１】
以下、図面を参照しつつ、本発明の実施の形態について説明する。ここで、図１は本発明の実施の形態に係る色彩表示システムの構成を示すブロック図、図２は同色彩表示システムにおける色の立方体モデルを示す斜視図である。なお、色の立方体モデル自体は
図１に示されているように、本実施の形態に係る色彩表示システム１０は、色の立方体モデル１１の中心を三次元座標系の基点Ｏに設定する基点設定部１２と、該基点設定部１２により設定された基点Ｏにおいて直交する前記三次元直交座標系の３つの軸ＲＣ，ＧＭ，ＢＹに沿って色Ｒ，Ｇ，Ｂ，Ｃ，Ｍ，Ｙを数値化して各軸ＲＣ，ＧＭ，ＢＹの座標値を設定する色座標値設定部１３と、色座標値設定部１３により設定された各軸ＲＣ，ＧＭ，ＢＹの座標値毎に数値を加算し、平均することにより混合した色の座標値を算出する混色座標値算出部１４と、各軸ＲＣ，ＧＭ，ＢＹの座標値に対応付けて混色のデータを格納する混色データ格納部１５と、混色座標値算出部１４により算出された混色の座標値に一致する混色のデータを混色データ格納部１５から検索する混色データ検索部１６とを備えて構成されている。なお、色の立方体モデル１１自体は、背景技術で説明した従来の色の立方体モデル１と同様の構成を有しているので、ここでの詳細な説明は省略する。
【００１２】
次に、上記した構成を備えた色彩表示システム１０の作用について、色を混合する場合を例にとって説明する。
【００１３】
先ず、色の立方体モデル１１は、基点設定部１２によりその中心を基点Ｏに設定される。これにより、基点Ｏが元色となり、この元色は実際には全ての色を混合した灰色となり、各色は基点Ｏから立体放射状に配置されるようなる。そして、６つの頂点はそれぞれ赤色、緑色、青色、黄色、シアン、マゼンダを示し、６つの面はそれぞれ四隅の色の混合となり、全て純色となる。また、６つの面以外の立方体内部に配置される色はすべて濁色となる。
【００１４】
立方体の表面の色味の違いである色調は６つの面から中心に向かうに従って変化しないが、元色の濁りが入ってくる。仮に、立方体の表面の正方形と中心点とにより形成される四角錐を考え、正方形を平行移動しながら中心に向かうと、色調は相似形に縮小しながら、色彩度は下がるようになる。すなわち、等色彩度面は、同一中心点を有する正六面体となる。また、色彩度は色相面に対して斜めになるため、表面の色調、色彩度、実位置の変換によって色彩度を独立して制御することができるようになる。
【００１５】
次に、前記立方体モデル１１において、色Ｒ，Ｇ，Ｂ，Ｃ，Ｍ，Ｙは色座標値設定部１３により３つの軸ＲＣ，ＧＭ，ＢＹに沿って、ＲＣ軸（１．０〜０〜−１．０）、ＧＭ軸（１．０〜０〜−１．０）、ＢＹ軸（１．０〜０〜−１．０）のように、数値化され、各軸ＲＣ，ＧＭ，ＢＹの座標値が設定される。これにより、例えば、赤色の座標値は、Ｒ１．０，Ｇ−１．０，Ｂ−１．０となり、緑色の座標値は、Ｒ−１．０，Ｇ１．０，Ｂ−１．０となり、青色の座標値は、Ｒ−１．０，Ｇ−１．０，Ｂ１．０となる。
【００１６】
次に、混合する色の各軸ＲＣ，ＧＭ，ＢＹの座標値をそれぞれ混色座標値算出部１４により加算し、平均することにより混色の座標値が算出される。具体的には、例えば、赤色と黄色を１：３の割合で混合する場合、赤色の座標値が、Ｒ１．０，Ｇ−１．０，Ｂ−１．０、黄色の座標値がＲ１．０，Ｇ１．０，Ｂ−１．０であるから、混色の各軸ＲＣ，ＧＭ，ＢＹの座標値は、次式により
ＲＣ軸の座標値：（１＋１×３）／（１＋３）＝１
ＧＭ軸の座標値：（−１＋１×３）／（１＋３）＝０．５
ＢＹ軸の座標値：（−１−１×３）／（１＋３）＝−１
と算出される。したがって、混色の座標値は、Ｒ１．０，Ｇ０．５，Ｂ−１．０となる。
【００１７】
次に、このように算出された混色の座標値に一致する混色のデータが混色データ検索部１６によって混色データ格納部１５から検索され、この例では、混色は黄色よりの朱色と判定される。
【００１８】
このように上記した色彩表示システムによれば、色の取り扱いが容易になるため、色彩処理のどの過程でも自由に色の最適な処理や調整を行うことができる。
【００１９】
また、加算や平均のような単純な計算により混色を指定することができるため、色の検索を極めて容易に行うことができる。
【００２０】
さらに、プリンタやディスプレイ等の画像形成装置において、ユーザ側が色調整を簡単に行うことができるようになる。
【００２１】
さらにまた、２つの色の違いが色座標の空間距離で与えられるようになるため、混色の規則が明確になり、混色により色を作り出すことが簡単に行えるようなる。
【図面の簡単な説明】
【００２２】
【図１】本発明の実施の形態に係る色彩表示システムの構成を示すブロック図である。
【図２】本発明の実施の形態に係る色彩表示システムにおける色の立方体モデルを示す斜視図である。
【図３】従来の色の立方体モデルを示す斜視図である。
【符号の説明】
【００２３】
１０          色彩表示システム
１１          色の立方体モデル
１２          基点設定部
１３          色座標値設定部
１４          混色座標値算出部
１５          混色データ格納部
１６          混色データ検索部
【図１】
2009069249.tif 000003
【図２】
2009069249.tif 000004
【図３】
2009069249.tif 000005